(57)【要約】      （修正有）【課題】竪樋との接続のために設けられる係合リングとの接続が、風雨によって受ける衝撃や樋部への積雪などの重量により、容易に外れることがない雨樋集水器を提供する。【解決手段】排水筒３が延出する集水器本体１と、接続筒１１と、係合リング５とを備え、排水筒の外周面に設けた係合片４に、係合リングの一端の内周面に設けた突片を係止することにより、集水器本体と係合リングを連結し、かつ、係合リングの他端の内周面に設けたフツク７に、接続筒の一端の外周面に設けた突起６を、フツクに設けた切欠に進入させて係止することによって、係合リングと接続筒を連結する構成であり、さらに、（Ａ）フツクに切欠１３を、相対する向きに２箇所設ける、（Ｂ）切欠の両端縁を、突出させてストツパ８を設ける、（Ｃ）フツクにストツパより周方向に向かって高くなる傾斜が形成されて、傾斜の頂上部に山部９を設け、山部の近傍に谷部を設ける。【選択図】図１
2008095287.tif 000002
【特許請求の範囲】
【請求項１】
円筒状排水筒（３）が延出する集水器本体（１）と、円柱状接続筒（１１）と、該集水器本体（１）と該接続筒（１１）を連結する円筒状係合リング（５）とを備え、前記排水筒（３）の外周面に設けた係合片（４）に、前記係合リング（５）の一端の内周面に設けた突片（６）を係止することにより、前記集水器本体（１）と前記係合リング（５）を連結し、かつ、前記係合リング（５）の他端より内側へ延設された後に軸方向へ伸びるフツク（７）に、前記接続筒（１１）の一端の外周面に設けた突起（１２）を、該フツク（７）に設けた切欠（１３）に進入させて係止することによって、前記係合リング（５）と前記接続筒（１１）を連結する構成であって、以下の（Ａ）〜（Ｃ）を具備する雨樋集水器。
（Ａ）フツク（７）に切欠（１３、１３）を、相対する向きに２箇所設ける。
（Ｂ）切欠（１３、１３）の両端縁を、突出させてストツパ（８）を設ける。
（Ｃ）フツク（７）にストツパ（８）より周方向に向かって高くなる傾斜（１４）が形成されて、該傾斜（１４）の頂上部に山部（９）を設け、該山部（９）の近傍に谷部（１０）を設ける。
【請求項２】
傾斜（１４）は、係合片（４）とストツパ（８）との間隔（ａ）が突起高さ（１２ｈ）より大きく、かつ、係合片（４）と山部（９）との間隔（ｂ）が突起高さ（１２ｈ）より小さくなるように形成されている請求項１記載の雨樋集水器。
【発明の詳細な説明】
【技術分野】
【０００１】
本発明は、軒樋からの雨水を集めるための雨樋集水器に関するものである。
【背景技術】
【０００２】
雨樋の集水器にあっては、軒樋からの雨水を集めるための集水器本体と、この集水器本体の下方に接続された接続筒と、この接続筒を集水器本体に外周から係合する係合リングから構成されている。この接続筒と係合リングとの係合は、接続筒の外周に設けた突起と係合リング内周に設けられた突片を係合させることにより達成され、この係合のために突片には突起を通過させるための切欠部を形成した集水器（特許文献１参照。）が提案されている。
【０００３】
すなわち、特許文献１に記載の発明は、連結筒の下端外周の全周にわたる外フランジが延出すると共に外フランジ上方における連結筒の外周面に宍起が形成され、前記連結リングの上端内周に突起と嵌合する凹所を備えた突台が形成され、突台が前記外フランジの上面に載置されて連結リングが連結筒に連結されると共に突台の凹所に連結筒の突起が嵌合して連結リングの回転止めがなされる雨樋集水器であって、前記突台は凹所を有する内周部分と連結リングの周壁との間に空所を形成する形で連結リングの周壁より一体に延出して突台の内周部分に半径方向外方に向って弾性的に変姓する弾性変形能が付与され、前記突起と凹所との嵌合がこの弾性を利用して行なわれる雨樋集水器である。
【０００４】
さらに、本出願人は接続筒の係合突起を、係合リングのより安定した位置に係合させる手段として、接続筒にフツクを設けフツクに突起が進入できる切り欠き、フツクの切り欠かれた端部にストツパを設け、フツクのストツパとは離れた位置に山部を少なくとも２つ設けた集水器（特許文献２参照。）を開示している。
【特許文献１】実公昭６１−１６３４０号公報
【特許文献２】特開平１０−１００９２５号公報
【発明の開示】
【発明が解決しようとする課題】
【０００５】
本発明は、風雨によって受ける衝撃や樋部への積雪などの重量により、係合リングと接続筒が、容易に外れることがない雨樋集水器を提供することにある。
【課題を解決するための手段】
【０００６】
本発明は、円筒状排水筒が延出する集水器本体と、円柱状接続筒と、該集水器本体と該接続筒を連結する円筒状係合リングとを備え、前記排水筒の外周面に設けた係合片に、前記係合リングの一端の内周面に設けた突片を係止することにより、前記集水器本体と前記係合リングを連結し、かつ、前記係合リングの他端より内側へ延設された後に軸方向へ伸びるフツクに、前記接続筒の一端の外周面に設けた突起を、該フツクに設けた切欠に進入させて係止することによって、前記係合リングと前記接続筒を連結する構成であって、以下の（Ａ）〜（Ｃ）を具備する雨樋集水器である。（Ａ）フツク７に切欠１３、１３を、相対する向きに２箇所設ける。（Ｂ）切欠１３、１３の両端縁を、突出させてストツパ８を設ける。（Ｃ）フツク７にストツパ８より周方向に向かって高くなる傾斜１４が形成されて、該傾斜１４の頂上部に山部９を設け、該山部９の近傍に谷部１０を設ける。さらに、傾斜１４は、係合片４とストツパ８との間隔ａが突起高さ１２ｈより大きく、かつ、係合片４と山部９との間隔ｂが突起高さ１２ｈより小さくなるように形成されている雨樋集水器である。
【発明の効果】
【０００７】
本発明によれば、風雨によって受ける衝撃や樋部への積雪などの重量により、係合リングと接続筒が、容易に外れることがない雨樋集水器を得ることができる。
【発明を実施するための最良の形態】
【０００８】
本発明において、雨樋集水器の材質としては、特に限定されるものではないが、プラスチック建材として従来公知の樹脂を適宜選択して採用でき、例えば、硬質塩化ビニル樹脂、アクリル樹脂、ポリカーボネイト樹脂、ＡＥＳ樹脂を単独に使用してもよく、或いは、これらの材質を適宜組み合わせて使用してもよい。
【０００９】
雨樋集水器の本体の下方に設けられた排水筒の係合片は、雨樋集水器を一体成形してもよく、円筒形に成形した排水筒に、係合片が設けられている円筒の成形品を別成形して、接着加工など材料に合わせて実質一体と見なされる様に加工してもよい。係合片は、少なくとも１段以上であり、係合の安全を上げるためにそれ以上の数、例えば２段としてもよい。雨樋集水器の本体部はプラスチックである場合、例えば射出成形法によって成形される。係合片が設けられている円筒の成形品を別成形する場合は、本体部と同様の成形法が適用できる。集水器本体は、軒樋や排水管からの雨水を受けるために、箱体の側壁の一方又は双方向に開口が設けられたものであり、上面を開口してあっても封鎖してあってもよい。
【００１０】
以下、本発明の実施形態について図面を参照して、詳細に説明する。図１は、本発明にかかる雨樋集水器を示す斜視図である。図２は、突起１２と山部９の位置関係を示す説明図であり、図３のＹ断面図は突起１２がストツパ８にある状態、図４のＺ断面図は突起１２が山部９にある状態を表す図である。図５は、谷部１０に突起１２が係止した状態の説明図である。なお、図中、説明上、接続筒１１の下方に接続される竪樋等は図示を省略した。
【００１１】
図１、図２からわかるように、円筒状排水筒３が延出する集水器本体１と、円柱状接続筒１１と、該集水器本体１と該接続筒１１を連結する円筒状係合リング５とを備え、前記排水筒３の外周面に設けた係合片４に、前記係合リング５の一端の内周面に設けた突片６を係止することにより、前記集水器本体１と前記係合リング５を連結し、かつ、前記係合リング５の他端他端より内側へ延設された後に軸方向へ伸びるフツク７に、前記接続筒１１の一端の外周面に設けた突起１２を、該フツク７に設けた切欠１３に進入させて係止することによって、前記係合リング５と前記接続筒１１を連結する構成であり、さらに、（Ａ）フツク７に切欠１３、１３を、相対する向きに２箇所設ける、（Ｂ）切欠１３、１３の両端縁を、突出させてストツパ８を設ける、（Ｃ）フツク７にストツパ８より周方向に向かって高くなる傾斜１４が形成されて、該傾斜１４の頂上部に山部９を設け、該山部９の近傍に谷部１０を設ける、以上（Ａ）〜（Ｃ）の条件を具備する雨樋集水器である。
【００１２】
図１、図２，図５に基づいて、本発明の雨樋集水器と接続筒１１の接続について説明する。接続筒１１の突起１２は双方向に少なくとも２つ設けられているのがよく、フツク７の切欠１３を相対する位置に２箇所設け、切欠１３、１３とする。突片６を係合片４に係止させて集水器本体１と係合リング５を係合させ、接続筒１１の突起１２をフツク７に係止させて、係合リング５と接続筒１１を接続させることにより雨樋集水器の組立が完成する。ここで、接続筒１１を係合リング５に接続する際には、突起１２を切欠１３、１３から進入させて、ストツパ８を乗り越えて、ストツパ８の際の一段下がった部分から周方向に向かって徐々に高くなる傾斜１４の頂上部の山部９を乗り越えて、さらに、接続筒１１を回動させることにより突起１２を谷部１０へ導き、谷部１０に突起１２が係止される。これにより、雨樋集水器と接続筒１１が接続する。
【００１３】
つぎに図２〜図４に基づいて、傾斜１４について説明する。傾斜１４は、係合片４とストツパ８との間隔ａが突起高さ１２ｈより大きく、かつ、係合片４と山部９との間隔ｂが突起高さ１２ｈより小さくなるように、形成されている。具体的には、間隔ａは、突起高さ１２ｈより０．５〜１．０ｍｍ大きいのがよい。又、間隔ｂは、突起高さ１２ｈより０．３〜０．５ｍｍ小さいのがよい。間隔ａを突起高さ１２ｈより０．５〜１．０ｍｍ大きくしているのは、切欠１３、１３から進入した突起１２を、ストツパ８から傾斜１４へ周動しやすくするためである。又、間隔ｂを突起高さ１２ｈより０．３〜０．５ｍｍ小さくしているのは、フツク７に、例えば、風雨等の一時的に大きな負荷がかかった際にも、突起１２が係合片４と山部９とにできた狭部を外れることがないためである。
【００１４】
谷部１０に導かれた接続筒１１の突起１２は、排水筒３の外周に周設された係合片４と山部９とにできた狭部で、集水器本体１から容易に離脱しない。又、フツク７は、係合リングの他端より内側へ延設された後に軸方向へ伸びる鈎手状の形状であるので、フツク７全体が接続筒１１の荷重を支持し一点に荷重が集中することがないために、フツク７は係合リング５の破損により、接続筒１１が容易に外れることを防止する作用を有する。さらに、接続筒１１が下方に引っ張られたりすることで、フツク７に、例えば、風雨等の一時的に大きな負荷がかかった際にも、フツク７がその材質の有する弾性に基づいて撓んで該負荷を吸収して、フツク７が破損して接続筒１１が外れる懼れ低下する。
【００１５】
本発明の雨樋集水器は、突起１２がフツク７の奥に固定されているため、風雨等の衝撃を受けても接続筒が容易に集水器本体１から離脱しない。
【図面の簡単な説明】
【００１６】
【図１】本発明の一実施例における雨樋集水器を模式的に示した斜視図である。
【図２】同上の雨樋集水器の突起と山部の位置関係を示す説明図である。
【図３】図２のＹ断面図である。
【図４】図２のＺ断面図である。
【図５】同上の雨樋集水器の谷部に突起が係止した状態の説明図である。
【符号の説明】
【００１７】
１   集水器本体
２   箱体
３   排水筒
４   係合片
５   係合リング
６   突起
７   フツク
８   ストツパ
９   山部
１０   谷部
１１   接続筒
１２   突起
１２ｈ    突起高さ
１３  切欠
１４  傾斜
ａ  間隔（係合片〜ストツパ）
ｂ  間隔（係合片〜山部）
【図１】
2008095287.tif 000003
【図２】
2008095287.tif 000004
【図３】
2008095287.tif 000005
【図４】
2008095287.tif 000006
【図５】
2008095287.tif 000007